(57)【要約】
【課題】本考案は、簡略操作にて戻しチップリールの取り出し及び新規なチップリールの先入れ、先出しが可能であり、省スペース大収納量を実現し得るチップリールの自在収納装置を提供する。
【解決手段】本考案のチップリールの自在収納装置１は、戻しチップリール１００ａを単体で水平方向に取り出し可能に収納する戻しチップリール部３１と、この戻しチップリール部３１の上側に近接して配置された任意数のチップリール１００を先入れ先出し構造で収納し前記戻しチップリール部３１が空のときのみ先出しのチップリール１００から順に、水平方向に取り出し可能としたチップリール収納部３２とを任意数多段配置に、且つ、円形配置に設けた収納棚と、この収納棚を回転可能に支持する支持体とを有するものである。
【選択図】図１１
0003100442.tif 000002
【実用新案登録請求の範囲】
【請求項１】
　戻しチップリールを単体で水平方向に取り出し可能に収納する戻しチップリール部と、この戻しチップリール部の上側に近接して配置された任意数のチップリールを先入れ先出し構造で収納し前記戻しチップリール部が空のときのみ先出しのチップリールから順に水平方向に取り出し可能としたチップリール収納部と、
　を任意数多段配置に、且つ、円形配置に設けた収納棚と、
　この収納棚を回転可能に支持する支持体と、
　を有することを特徴とするチップリールの自在収納装置。
【請求項２】
　円形の底部回転支持部と、円形の天板部との間に、戻しチップリール部及びチップリール収納部を任意数多段配置に、且つ、円形配置に有する収納棚と、この収納棚を回転可能に支持するキャスタ付きの支持体とを有するチップリールの自在収納装置であって、
　前記収納棚は、
　底部回転支持部と天板部との間における中心側を円形等間隔でチップリール保持板挿入固定用の挿入穴を列設した６個の保持板固定支柱により連結し、底部回転支持部と円形の天板部との間の外周側を前記保持板固定支柱の配置と６０度ずれた配置の円形等間隔でチップリール保持板の外周支持用の支持溝を列設した６個の保持板支持支柱により連結して構成した支柱群と、
　中心側の保持板固定支柱の挿入穴に挿入突部を挿入し、外周側の隣り合う保持板支持支柱の支持溝に各々外周の一部を係合させて、保持板固定支柱、保持板支持支柱により着脱可能に水平支持される多数の指操作穴を穿設したチップリール保持板と、
　を有し、
　一のチップリール保持板と、このチップリール保持板の上部に近接して配置する他のチップリール保持板とにより、戻しチップリールを指操作穴からの指操作で単体で水平方向に取り出し可能に収納する戻しチップリール部と、この戻しチップリール部の上側のチップリール保持板に配置された任意数のチップリールを先入れ先出し構造で収納し前記戻しチップリール部が空のときのみ前記指操作穴からの指操作にて先出しのチップリールから順に水平方向に取り出し可能としたチップリール収納部と、
　を前記収納棚に多段円形配置に形成したことを特徴とするチップリールの自在収納装置。
【請求項３】
　前記チップリール収納部は、隣り合う保持板支持支柱に着脱可能に掛け渡され、このチップリール収納部に収納されるチップリールの外周部を外部から視認可能な状態で包囲するチップリールガイド板を有することを特徴とする請求項１又は２記載のチップリールの自在収納装置。
【考案の詳細な説明】
【技術分野】
【０００１】
　本考案は、多数のチップ部品を取り付けテープを巻回したチップリールを収納するチップリールの自在収納装置に関するものである。
【背景技術】
【０００２】
　従来のこの種のチップリールの収納装置は、多種、多数のチップリールを収納装置における棚幅が大きい水平の収納棚に上下積み重ね方式で収納し、チップリールを使用する都度係員が収納棚から取り足して自動装填機に掛け、プリント基板等への実装に供していた。
【０００３】
　しかし、このようなチップリールの収納装置では、上下積み重ね方式であるため、チップリールの先入れ、先出しが出来ず、常に上部のチップリールが先に使用されることになり、下部のリールは収納棚上に長期滞留することになるという問題がある。
【０００４】
　また、収納棚上でチップリールの横ずれ生じ易く、横列のものと混同し易いこと、収納棚の棚幅が大きいことから空き空間が生じ易くスペース効率が良好でないとともに、チップリールの出し入れも不便であること、棚幅の変更が容易でなく、変更できたとしても多種のチップリールへの対応が難しいこと、収納装置全体が大きすぎ設置場所が限定されること、などの種々の問題を包含している。
【０００５】
　特許文献１には、直方体状の筺体に対して底部が前下がりに傾斜した棚を仕切板で仕切って横方向に複数のチップ部品リール用の収納部を形成し、隣接する収納部を一組として複数の収納棚を多段配置に構成したチップ部品リールの収納装置が提案されている。
　しかし、このチップ部品リールの収納装置の場合にも、収納棚は水平多段構造であるため、収納棚の棚幅が大きいことから空き空間が生じ易くスペース効率が良好でないとともに、収納装置全体が大きすぎ設置場所が限定されるという問題を包含している。
【特許文献１】特平０８−００２６２７号公報
【考案の開示】
【考案が解決しようとする課題】
【０００６】
　本考案は、上述した従来の実情に鑑み開発されたものであり、簡略操作にて戻しチップリールの取り出し及び新規なチップリールの先入れ、先出しが可能であり、省スペース大収納量を実現し、多種のチップリールへの対応も容易なチップリールの自在収納装置を提供することを目的とするものである。
【課題を解決するための手段】
【０００７】
　請求項１記載の考案のチップリールの自在収納装置は、戻しチップリールを単体で水平方向に取り出し可能に収納する戻しチップリール部と、この戻しチップリール部の上側に近接して配置された任意数のチップリールを先入れ先出し構造で収納し前記戻しチップリール部が空のときのみ先出しのチップリールから順に水平方向に取り出し可能としたチップリール収納部と、を任意数多段配置に、且つ、円形配置に設けた収納棚と、この収納棚を回転可能に支持する支持体とを有することを特徴とするものである。
【０００８】
　請求項２記載の考案は、円形の底部回転支持部と、円形の天板部との間に、戻しチップリール部及びチップリール収納部を任意数多段配置に、且つ、円形配置に有する収納棚と、この収納棚を回転可能に支持するキャスタ付きの支持体とを有するチップリールの自在収納装置であって、前記収納棚は、底部回転支持部と天板部との間における中心側を円形等間隔でチップリール保持板挿入固定用の挿入穴を列設した６個の保持板固定支柱により連結し、底部回転支持部と円形の天板部との間の外周側を前記保持板固定支柱の配置と６０度ずれた配置の円形等間隔でチップリール保持板の外周支持用の支持溝を列設した６個の保持板支持支柱により連結して構成した支柱群と、中心側の保持板固定支柱の挿入穴に挿入突部を挿入し、外周側の隣り合う保持板支持支柱の支持溝に各々外周の一部を係合させて、保持板固定支柱、保持板支持支柱により着脱可能に水平支持される多数の指操作穴を穿設したチップリール保持板とを有し、一のチップリール保持板と、このチップリール保持板の上部に近接して配置する他のチップリール保持板とにより、戻しチップリールを指操作穴からの指操作で単体で水平方向に取り出し可能に収納する戻しチップリール部と、この戻しチップリール部の上側のチップリール保持板に配置された任意数のチップリールを先入れ先出し構造で収納し前記戻しチップリール部が空のときのみ前記指操作穴からの指操作にて先出しのチップリールから順に水平方向に取り出し可能としたチップリール収納部とを前記収納棚に多段円形配置に形成したことを特徴とするものである。
【０００９】
　請求項３記載の考案は、請求項１又は２記載のチップリールの自在収納装置において、前記チップリール収納部は、隣り合う保持板支持支柱に着脱可能に掛け渡され、このチップリール収納部に収納されるチップリールの外周部を外部から視認可能な状態で包囲するチップリールガイド板を有することを特徴とするものである。
【考案の効果】
【００１０】
　本考案によれば、戻しチップリール及びチップリールの取り出し操作が簡略に、且つ、戻しチップリールが優先的に行われ、しかも、チップリールの先入れ先出し操作を確実に実現でき、棚幅変更も容易であることから、チップリール収納部、戻しチップリール部の棚幅変更、編成替えも容易であり、大きな収納量を有しつつ省スペースを図ることができるチップリールの自在収納装置を提供できる。
　更に、本考案によれば、チップリール収納部にチップリールガイド板を備ることで、チップリール収納部内のチップリールの在庫数の確認、欠品手配管理も容易となり、更にチップリールの横ずれ防止、中抜き防止を図ることができるチップリールの自在収納装置を提供できる。
【考案を実施するための最良の形態】
【００１１】
　本考案によれば、戻しチップリール及びチップリールの取り出し操作が簡略に、且つ、戻しチップリールが優先的に行われ、しかもチップリールは先入れ先出し状態で取り出されるので、戻しチップリールの確実な使用、チップリールの先入れ先出しによる使用を確保できる。
【００１２】
　また、本考案によれば、収納棚のチップリール保持板は、保持板固定支柱、保持版支持支柱に対して随時着脱でき棚幅変更も容易であることから、チップリール収納部、戻しチップリール部の棚幅変更、編成替えも容易であり多種類のチップリールに対応できる。
【００１３】
　更に、本考案によれば、前記キャスタを備えることで、装置自体の移動が容易であり、チップリール収納部、戻しチップリール部が多段、且つ、円形配置に構成されているので、大きな収納量を有しつつ省スペースを図ることができる。
【００１４】
　更に、本考案によれば、チップリール収納部にチップリールガイド板を備えているので、チップリール収納部内のチップリールの在庫数の確認、欠品手配管理も容易となり、更にチップリールの横ずれ防止、中抜き防止を図ることができる。
【実施例】
【００１５】
　以下に、本考案のチップリールの自在収納装置の実施の形態を図面を参照して詳細に説明する。
　図１は本実施の形態に係るチップリールの自在収納装置１の概略構成図を示し、図２は同装置において多数のチップリール１００を収納した状態を示す概略斜視図である。
【００１６】
　本実施の形態に係る自在収納装置１は、多数のチップリール１００を収納する収納棚１０と、この収納棚１０の下部に配置され収納棚１０を回転可能に支持するキャスタ３付きの支持体２とを有している。
【００１７】
　収納棚１０は、図３、図４に示すように、円形の金属製の底部回転支持部１１と、円板状の金属製の天板部１２との間におけるこれらの中心側を、円形等間隔（６０度間隔）で後述する金属製のチップリール保持板２０の挿入固定用の挿入穴１３を等間隔で列設した６個の断面Ｌ状の金属製の保持板固定支柱１４により連結し、また、底部回転支持部１１と円板状の天板部１２との間の外周側を、前記保持板固定支柱１４の配置と６０度ずれた配置の円形等間隔（６０度間隔）でチップリール保持板２０の外周支持用の支持溝１５を両辺に列設した６個の断面Ｌ状の金属製の保持板支持支柱１６により連結して支柱群を構成している。
【００１８】
　前記底部回転支持部１１上における合計１２個構成の支柱群の配置及び６個のチップリール保持板２０の配置を図５に示す。
【００１９】
　前記保持板固定支柱１４は、その一辺に挿入穴１３を等間隔で列設するとともに、この一辺を６個の保持板固定支柱１４により形成する円の接線方向に合致させる状態に各々配置している。
【００２０】
　前記保持板支持支柱１６は、Ｌ状に開いた両辺の中央部分が６個の保持板支持支柱１６により形成する円の中心に向かう状態に各々配置している。
【００２１】
　これにより、図７に示すようにチップリール保持板２０に設けた挿入突部２１を中心側の保持板固定支柱１４の前記挿入穴１３に挿入し、外周側の隣り合う保持板支持支柱１６の相対向する支持溝１５に各々チップリール保持板２０の外周の一部を係合させて、保持板固定支柱１４、保持板支持支柱１６により着脱可能、且つ、水平配置にチップリール保持板２０を支持するようになっている。チップリール保持板２０の中心部には主に取り出し時の指操作のための指操作穴２０ａを穿設している。
【００２２】
　そして、図１１に示すように、一のチップリール保持板２０と、このチップリール保持板２０の上部に近接して配置する他のチップリール保持板２０とにより、戻しチップリール１００ａを指操作穴２０ａからの指操作で単体で水平方向に取り出し可能に収納する戻しチップリール部３１と、この戻しチップリール部３１の上側のチップリール保持板２０に配置された任意数のチップリール１００を先入れ先出し構造で収納し、前記戻しチップリール部３１が空のときのみ前記指操作穴２０ａからの指操作にて先出しのチップリール１００から順に水平方向に取り出し可能としたチップリール収納部３２とを前記収納棚１０に多段、且つ、円形配置に多数形成するようになっている。
【００２３】
　前記チップリール収納部３２は、図１１に示すように、隣り合う保持板支持支柱１６の支持溝１５に着脱可能に掛け渡され、このチップリール収納部３２に収納されるチップリール１００の外周部を外部から視認可能な状態で包囲するとともに、チップリール１００の横ずれ、中抜きを防止する金属金網状に形成したチップリールガイド板５０を備えている。
【００２４】
　また、チップリールガイド板５０には、個々のチップリール１００の種類、仕様等を示す品目銘板５１が貼られるようになっている。
　前記チップリール保持板２０は、保持板固定支柱１４に対してストッパー機構にて取り付けられ、抜け止め防止が図られている。すなわち、図８、図９に示すように、前記チップリール保持板２０の挿入突部２１にはネジ孔２１ａが設けられ、保持板固定支柱１４の挿入穴１３に挿入して後方に突出させた状態でストッパーネジ２２をネジ孔２１ａにねじ込むことで、チップリール保持板２０の保持板固定支柱１４からの抜け止めが図られている。
【００２５】
　前記収納棚１０は、図３、図６に示すように、底部回転支持部１１と、天板部１２との間の上下方向の略中間位置に金属製の補強円板２３を配置し、合計１２個構成の支柱群の強度補強を行うようにしている。補強円板２３は、６個の保持板固定支柱１４が貫通するとともに、外周部を前記６個の保持板支持支柱１６の支持溝１５部分に溶接にて固着している。
　前記収納棚１０は、図５、図１０に示すように、合計で１２個構成のタンバック機構を備えている。
【００２６】
　このタンバック機構は、図５及び図１０に示すように、前記各保持板固定支柱１４、各保持板支持支柱１６のＬ状を呈する両辺の接合部分に沿って上下方向に配置した金属丸棒状のネジ棒体４１を具備し、このネジ棒体４１の上下両端部に各々逆方向のネジを螺設したネジ部４２、４３を設けて、天板部１２にネジ部４２を挿通し、底部回転支持部１１にネジ部４３を挿通し、ナット４４、４５にてネジ止め固定する。これにより、収納棚１０全体の強度補強を図っている。
【００２７】
　前記支持体２は、図１乃至図４に示すように、台車構造で、平面正方形状の基台６０の底部に４個のキャスタ３を備えるとともに、基台６０上で円形の底部回転支持部１１を回転可能に支持している。底部回転支持部１１は、各々金属製の円板状の回転板６１、回転板補強板６２の２重構造からなり、前記支柱群、ネジ棒体４１が各々ボルトナット止め及び前記ナット４５にて取り付けられるようになっている。
【００２８】
　次に、上記構成のチップリール１００の自在収納装置１の作用を、戻しチップリール１００ａ及びチップリール１００の取り出し操作を主にし、図１１乃至図１５を参照して説明する。
【００２９】
　図１１に示すように、収納棚１０の戻しチップリール部３１には通常単一の戻しチップリール１００ａが収納され、チップリールガイド板５０で包囲されるチップリール収納部３２には複数（例えば５個）の新規なチップリール１００が先入れ、先出し構造で収納される。
【００３０】
　戻しチップリール部３１内の戻しチップリール１００ａを取り出すには、図１２に示すように、戻しチップリール部３１を構成するチップリール保持板２０の指操作穴２０ａの下方から指を挿入し、戻しチップリール１００ａの下面にこのチップリール保持板２０の外方へ引き出す力を付与する。これにより、図１３に示すように、前記戻しチップリール部３１の戻しチップリール１００ａのチップリール保持板２０から突出した部分を指でもって容易に持ち取り出すこができる。
【００３１】
　次に、チップリール収納部３２からのチップリール１００の取り出し操作に関しては、上述した戻しチップリール部３１内に戻しチップリール１００ａが存在しないときのみ可能である。
　すなわち、図１１に示すように、戻しチップリール部３１内に戻しチップリール１００ａが存在するときにき、戻しチップリール１００ａに邪魔されてチップリール収納部３２の最下部のチップリール１００の下面まで指が届かないからである。
【００３２】
　戻しチップリール部３１内の戻しチップリール１００ａが図１３に示す操作で取り出された後、図１４に示すように、戻しチップリール部３１を構成するチップリール保持板２０の指操作穴２０ａを経てチップリール収納部３２を構成するチップリール保持板２０の指操作穴２０ａからチップリール収納部３２の最下部のチップリール１００に指を当て、このチップリール保持板２０の外方へ引き出す力を付与する。
　これにより、図１５に示すように、前記チップリール１００のチップリール保持板２０から突出した部分を指にて容易に持ち、外方へ容易に取り出すこができる。
【００３３】
　このようにして、本実施の形態に係るチップリール１００の自在収納装置１によれば、戻しチップリール１００ａ及びチップリール１００の取り出し操作が簡略に、且つ、戻しチップリール１００ａが優先的に行われ、しかも、チップリール１００は先入れ先出し状態で取り出されるので、戻しチップリール１００ａが使用されなくなってしまうという弊害や、あるチップリール１００が長期に亙って棚上に留まり使用されなくなるという弊害を回避できる。
【００３４】
　また、本実施の形態に係る自在収納装置１によれば、前記収納棚１０のチップリール保持板２０は、保持板固定支柱１４、保持版支持支柱１６に対して随時着脱でき棚幅変更も容易であることから、チップリール収納部３２、戻しチップリール部３１の編成替えも容易で多種類のチップリール１００に対応できる。
【００３５】
　更に、チップリール収納部３２は、前記チップリールガイド板５０を備えているので、チップリール収納部３２内のチップリール１００の在庫数が一目で管理でき、また、例えば在庫の最小設定個数を２個等と設定しておくことにより、欠品手配管理も容易となり、また、前記チップリールガイド板５０によりチップリール１００の横ずれ防止、中抜き防止を図ることができる。
【００３６】
　更に、本実施の形態に係る自在収納装置１は、前記キャスタ３を備えているので、装置自体の移動が容易である利点があり、また、前記チップリール収納部３２、戻しチップリール部３１が多段、且つ、円形配置に構成されていることから、大きな収納量を有しつつ省スペースを図ることができるという顕著な利点がある。
【００３７】
　更にまた、自在収納装置１が金属製のため接地処理を行うことで、チップリール１００に生じ易い静電気対策も容易となる。
【産業上の利用可能性】
【００３８】
　本考案の自在収納装置は、チップリール収納部、戻しチップリール部の棚幅変更、編成替えも容易であり、大きな収納量を有しつつ省スペースを図ることができるチップリールの自在収納装置として幅広く利用でき、またチップリール収納部内のチップリールの在庫数の確認、欠品手配管理も容易となり、更にチップリールの横ずれ防止、中抜き防止を図ることができるチップリールの自在収納装置として幅広く利用できる。
【図面の簡単な説明】
【００３９】
【図１】本考案の実施の形態に係るチップリールの自在収納装置の概略構成図である。
【図２】本考案の本実施の形態に係るチップリールの自在収納装置のチップリール収納状態の概略構成を示す斜視図である。
【図３】本考案の本実施の形態に係るチップリールの自在収納装置の支持体及び収納棚を示す概略斜視図である。
【図４】本考案の本実施の形態に係るチップリールの自在収納装置の支持体及び支柱群を示す部分斜視図である。
【図５】本考案の本実施の形態に係るチップリールの自在収納装置の支柱群及びチップリールの配置を示す平面図である。
【図６】本考案の本実施の形態に係るチップリールの自在収納装置の支柱群及び補強円板を示す部分斜視図である。
【図７】本考案の本実施の形態に係るチップリールの自在収納装置の支柱群及びチップリールを示す部分拡大斜視図である。
【図８】本考案の本実施の形態に係るチップリールの自在収納装置のチップリールのストッパー構造を示す斜視図である。
【図９】本考案の本実施の形態に係るチップリールの自在収納装置のチップリールのストッパー構造を示す斜視図である。
【図１０】本考案の本実施の形態に係るチップリールの自在収納装置のタンバック機構を示す斜視図である。
【図１１】本考案の本実施の形態に係るチップリール収納部、戻しチップリール部を示す部分拡大図である。
【図１２】本考案の本実施の形態に係る戻しチップリール部に対する取り出し操作の説明図である。
【図１３】本考案の本実施の形態に係る戻しチップリール部から戻しチップリールの取り出し状態の説明図である。
【図１４】本考案の本実施の形態に係るチップリール収納部に対する取り出し操作の説明図である。
【図１５】本考案の本実施の形態に係るチップリール収納部からのチップリールの取り出し状態の説明図である。
【符号の説明】
【００４０】
　　１　　自在収納装置
　　２　　支持体
　　３　　キャスタ
　１０　　収納棚
　１１　　底部回転支持部
　１２　　天板部
　１３　　挿入穴
　１４　　各保持板固定支柱
　１４　　保持板固定支柱
　１５　　支持溝
　１６　　保持板支持支柱
　２０　　チップリール保持板
　２０ａ　指操作穴
　２１　　挿入突部
　２１ａ　ネジ孔
　２２　　ストッパーネジ
　２３　　補強円板
　３１　　戻しチップリール部
　３２　　チップリール収納部
　４１　　ネジ棒体
　４２　　ネジ部
　４３　　ネジ部
　４４　　ナット
　４５　　ナット
　５０　　チップリールガイド板
　５１　　品目銘板
　６０　　基台
　６１　　回転板
　６２　　回転板補強板
１００　　チップリール
１００ａ　戻しチップリール
【図１】
0003100442.tif 000003
【図２】
0003100442.tif 000004
【図３】
0003100442.tif 000005
【図４】
0003100442.tif 000006
【図５】
0003100442.tif 000007
【図６】
0003100442.tif 000008
【図７】
0003100442.tif 000009
【図８】
0003100442.tif 000010
【図９】
0003100442.tif 000011
【図１０】
0003100442.tif 000012
【図１１】
0003100442.tif 000013
【図１２】
0003100442.tif 000014
【図１３】
0003100442.tif 000015
【図１４】
0003100442.tif 000016
【図１５】
0003100442.tif 000017